(57)【要約】      （修正有）【課題】磁力を利用してキャップの開閉操作のいらない収納容器を提供する。【解決手段】基台２に設けられた第１磁石６と、収納容器保持具４に設けられた第２磁石９との吸引力によって、基台２に収納容器保持具４が吸着し、保持可能であるように構成してある。収納容器保持具４が、基台２に吸着して収納状態にあるときは、基台２が収納容器保持具４のキャップの役目をはたし、使用時には外す方向に加力すれば、簡単に外すことが出来る。又、直ぐに底面を持てるため、持ち替えなしで素早く使え、使い易くキャップの開閉操作のいらない収納容器を提供するものである。【選択図】図６
0003144860.tif 000002
【実用新案登録請求の範囲】
【請求項１】
基台と、該基台がキャップの役目を果たし、内容物を収納可能な収納容器保持具と、
前記基台に配設され中央部に貫通孔のある第１磁石と、前記収納容器保持具に配設され前記第１磁石と対向する位置に設けられた第２磁石と、を有し、
前記第１磁石と第２磁石との吸引力によって前記基台に前記収納容器保持具が吸着して磁力保持可能に構成されていることを特徴とする収納容器。
【考案の詳細な説明】
【技術分野】
【０００１】  本考案は、磁力を利用してキャップの開閉操作のいらない収納容器に関する。
【背景技術】
【０００２】  近年磁力や、磁石を利用した種々の商品が開発されている。磁力は、例えばモーター、電磁弁、健康器具等に用いられる他、医療分野、教育分野、交通手段にも利用されており、更に今後もその利用拡大が見込まれている。
収納容器等の分野に於いても、様々なタイプの磁力を利用した容器が作られている。収納容器は物を出し入れする都合上、蓋が必要な場合も多いが、その蓋を閉じる方法として、磁力を用いる方法は一般的である。
【考案の開示】
【考案が解決しようとする課題】
【０００３】  例えば、調味料容器などを使う場合、厨房周辺に於いては、忙しくて片手や両手が塞がり、キャップを開ける作業が煩わしかったりする。
また、火を使っている場合などでは、キャップを開ける時間さえ惜しかったりする。
【課題を解決するための手段】
【０００４】  上記の課題を解決すべく、本考案は以下の構成を提供する。
請求項１に係る考案は、基台と、該基台がキャップの役目を果たし、内容物を収納可能な収納容器保持具と、前記基台に配設され中央部に貫通孔のある第１磁石と、前記収納容器保持具に配設され前記第１磁石と対向する位置に設けられた第２磁石と、を有し、前記第１磁石と第２磁石との吸引力によって前記基台に前記収納容器保持具が吸着して磁力保持可能に構成されていることを特徴とする収納容器を提供するものである。
【考案の効果】
【０００５】  本考案の請求項１の考案によれば、基台がキャップの役目を果し、又、磁力を利用して収納容器保持具を中空に浮かした状態で保管できるため、衛生的でキャップの開閉操作のいらない収納容器を提供することができる。
【考案を実施するための最良の形態】
【０００６】  実施例を示した図面を参照しつつ、本考案の実施の形態を説明する。尚、説明の都合上、後に説明する実施例に於いて、先に説明した実施例と同一構成部分については同一符号を付してその説明を省略する。【０００７】  図１は、第１磁石６と第２磁石９の相関関係を示した図である。第２磁石９の直径は第１磁石６の内径より小さくしてある。磁極の向きは、ＳＳ（ＮＮ）を向かい合わせにして接近させると、第１磁石６のリング内に第２磁石９が略平行に吸い込まれ、側面に一部が接触して吸着する。１４は空洞である。
第２磁石９もリング磁石を使用するが、詳しくは後の図５〜６、の説明時に述べる。又、貫通孔のない磁石を使用しても磁力作用は変わらない。【０００８】  例えば、第１磁石６と第２磁石９の大きさを同じにした場合、反発力（ＳＳ、ＮＮ）しか作用しない。
しかし、第２磁石９の外形を小さくして行き、第１磁石６の内径に近づくにつれ、吸引力の作用が段々強くなり、第１磁石６の貫通孔１４内に第２磁石９が吸着するようになる。【０００９】  尚、図１で示した第１磁石６と第２磁石９の一対を「一組の磁石」という。
本実施例に於いては、三対「三組の磁石」を使用し、３つの収納容器保持具４を装着する形態で説明するが、磁石の組数は必要に応じて変更できる事はいうまでもない。【００１０】  さて、図２は本考案による第１実施例の収納容器１の全体斜視図であるが、キャップ体１３は支柱５を介して、支持台３に繋がり卓上などに設置して使用する。収納容器保持具４はキャップ体１３に吸着固定されている。【００１１】  図３は、第１実施例の収納容器保持具４を外し、磁石の位置を示した形態での基台２（以後、収納容器保持具４を外した形態をいう）の正面図である。８は収納容器保持具４を吸着させ固定させる接触面であり、第１磁石６の内側は収納容器保持具４の一部を蓋うための挿入孔７であり内部は空洞か凹面である。
図４は、第１実施例の磁石の位置を示した基台２の上面図である。【００１２】  図５は、第１実施例の第２磁石９の位置を示した収納容器保持具４の斜視図であるが、射出口補助部１１を介して、射出口１０より内容物を外部へ降りかける。１２は内容物を入れるための収納蓋である。【００１３】  第２磁石９にリング状磁石を使用するのは、リング内を内容物が通るようにすると、出し入れに都合が良いためである。
また、磁石は種類によって腐食し易く、内容物が液体だったり、水分に触れる可能性がある場合は、表面を防水コーティングする必要があるかもしれない。【００１４】  さて、使用方法であるが、図２に於いて収納容器保持具４を基台２に収納する場合、単にキャップ体１３の挿入口７付近へ、収納容器保持具４を近付けると、吸い込まれるように吸着し、キャップ体１３の接触面８と収納容器保持具４の接触面８とが接触して射出口１０を蓋い、密閉した状態で固定することができる。【００１５】  収納容器保持具４を使う場合は、下に引くか外す方向に力を加えれば、外すことができる。
尚、第１磁石６、第２磁石９とも、磁石の固定位置は、各部材の外側でも内部でも、磁力は働くので、都合の良い位置に固定して使用する。【００１６】  図６は、第１磁石６と第２磁石９の吸引力によって、基台２に収納容器保持具４が保持された形態での部分断面図である。第２磁石９が第１磁石６に、完全に吸引される直前に、基台２の接触面８と収納容器保持具４の接触面８が、接触するように構成することで、密閉された状態で保持することが出来る。【００１７】  図７は、第２磁石９に円柱磁石を使用する形態での収納容器保持具４と、基台２の部分断面図である。第２磁石９は収納容器保持具４の中心部、底面から支柱５を介して上方、先端部に固着されている。収納容器保持具４を外した場合、上方の全面が開口部１５である。【００１８】  図８は、挿入孔の側面に吸着保持させて、使用する形態での部分断面図である。収納容器保持具４は外形の一部が基台２に接触して保持されている。第２磁石９はリング磁石である。
図９は、第１磁石６と第２磁石９の磁極を逆（ＳＮ）にして、使用する方法での部分断面図である。尚、第１磁石６と第２磁石９の大きさは、略同じであり直接、磁極同士（ＳＮ）を吸着させ使用する。第２磁石９はリング磁石である。【００１９】  図１０は、第２実施例の全体斜視図である。基台２と収納容器保持具４で構成する。収納容器保持具４は、第１実施例の図５と同様である。
基台２は、側面または上面等を壁などにネジ、釘、接着剤など、何らかの接続材で固定して使用する。
尚、基台２は前記第１実施例と同様に、支柱、支持台、を取り付け卓上などで使用する事もできる。図１１は、第２実施例の、磁石の位置を示した基台２の正面図である。【００２０】  本実施例で示した収納容器保持具の内容物は、食用に限らず収納容器として機能する内容物であれば、使用できる事はいうまでもない。
【図面の簡単な説明】
【００２１】
【図１】本考案による磁石の相関関係を表した図である。
【図２】本考案による第１実施例の、収納容器の全体斜視図である。
【図３】本考案による第１実施例の、基台の正面図である。
【図４】本考案による第１実施例の、磁石の位置を示した基台の上面図である。
【図５】本考案による第１実施例の、磁石の位置を示した基台の斜視図である。
【図６】本考案による磁石の使用例を示した、収納容器保持具と基台の部分断面図である。
【図７】本考案による円柱磁石を使用した形態での、収納容器保持具と基台の部分断面図である。
【図８】本考案による磁石を側面吸着させる形態での、収納容器保持具と基台の部分断面図である。
【図９】本考案による第１磁石と第２磁石の、磁極の向きを逆方向にした形態での収納容器保持具と基台の部分断面図である。
【図１０】本考案による第２実施例の収納容器の全体斜視図である。
【図１１】本考案による第２実施例の磁石の位置を示した基台の正面図である。
【符号の説明】
【００２２】  １．収納容器
２  基台
３．支持台
４．収納容器保持具
５．支柱
６．第１磁石
７．挿入孔
８．接触面
９．第２磁石
１０．射出口
１１．射出口補助部
１２．収納蓋
１３．キャップ体
【図１】
0003144860.tif 000003
【図２】
0003144860.tif 000004
【図３】
0003144860.tif 000005
【図４】
0003144860.tif 000006
【図５】
0003144860.tif 000007
【図６】
0003144860.tif 000008
【図７】
0003144860.tif 000009
【図８】
0003144860.tif 000010
【図９】
0003144860.tif 000011
【図１０】
0003144860.tif 000012
【図１１】
0003144860.tif 000013